(57)【要約】【課題】足場板へ取付け及び取外しが簡単容易に行える足場板用幅木を提供する。【解決手段】足場用建枠２，２の横材３、３間に掛け渡された足場板１の側縁部上に起立姿勢で取り付けられる幅木であって、幅木本体５の両端部には、両横材３の互いの対向面側に係止される１対の係止凹部１０ａ，１０ａ、１１ａ，１１ａを夫々有する端部枠８，９が配設され、一端側の端部枠８は、上端部が幅木本体５に枢着されて、その係止凹部１０ａ，１０ａが他端側の端部枠９の係止凹部１１ａ，１１ａとの距離を短縮する後退方向に傾動可能な可動端部枠で、常時はバネ１３を介して垂直姿勢に保持され、他端側の端部枠９は、幅木本体５の端部に固定された固定端部枠であり、可動端部枠８と幅木本体５の間には可動端部枠８を垂直姿勢にロックするロック手段７が介設されている。【選択図】図２
2011006839.tif 000002
【特許請求の範囲】
【請求項１】
対向する足場用建枠の横材間に掛け渡された足場板の側縁部上に起立姿勢で取り付けられる幅木であって、幅木本体の両端部には前記両横材の互いの対向面側に係止される一対の係止凹部を夫々有する端部枠が配設され、一端側の端部枠は、上端部が幅木本体に枢着されて、その係止凹部が他端側の端部枠の係止凹部との距離を短縮する後退方向に傾動可能な可動端部枠で、常時バネを介して幅木本体長手方向と直交する垂直姿勢に保持され、他端側の端部枠は幅木本体の端部に固定された固定端部枠であり、可動端部枠と幅木本体の間には可動端部枠を垂直姿勢にロックするロック手段が介設され、このロック手段は、可動端部枠の下端部にその傾動方向に沿って設けた長孔及びこれの前端部に連通形成した径大の丸孔と、幅木本体に軸方向移動可能に貫通支持されていて、長孔にスライド可能に嵌合する第１軸部、丸孔に嵌合する第２軸部及び操作用把手を有する軸部材とからなり、軸部材の第２軸部を丸孔に嵌合させることにより可動端部枠を垂直姿勢にロックし、第１軸部を長孔に嵌合させることによってロック解除するようにしてなる足場板用幅木。
【請求項２】
ロック手段の軸部材を常時は第２軸部が丸孔に嵌合するように付勢するバネが軸部材と幅木本体との間に介装されている請求項１に記載の足場板用幅木。
【請求項３】
各端部枠の一対の係止凹部は、足場用建枠の横材に係止された足場板のフックを挟んでその両側に係止されるようになっている請求項１又は２に記載の足場板用幅木。
【請求項４】
可動端部枠には、傾転操作するために指を挿入する指挿入穴が設けられている請求項１〜３の何れかに記載の足場板用幅木。
【請求項５】
各端部枠は内外両側板と両側板をつなぐ連結板とで形成されるコ字枠からなるもので、その連結板が幅木本体の端面に対向するように取り付けられ、両側板の夫々下端部に夫々係止凹部を有する１対の係止片が形成されている請求項１〜４の何れかに記載の足場板用幅木。
【請求項６】
各端部枠は内外両側板と両側板をつなぐ連結板とで形成されるコ字枠からなるもので、各端部枠を形成する内外側板の何れか一方に位置決め孔が複数設けられ、他方の側板には、幅木を横向きにして可動端部枠どうし及び固定端部枠どうしが重なるように複数段に積み重ねた時に前記一方の側板の位置決め孔に嵌合する位置決め突起が複数設けられている請求項請求項１〜５の何れかに記載の足場板用幅木。
【発明の詳細な説明】
【技術分野】
【０００１】
本発明は、建築現場等で仮設される足場板の側縁部上に起立姿勢に取り付けられる足場板用幅木に関する。
【背景技術】
【０００２】
建築現場等における足場板上での高所作業では、作業者の手にしたボルト、ナット、金具類等の種々の施工用物品や工具類、足元に置いた各種資材や用具等を誤って落下させ、事故につながるという危険性が常に付きまとう。そこで、足場板の側縁部上に幅木を取り付けるようにしている。
【０００３】
従来の足場板用幅木として、例えば、下記特許文献１に記載されたものがある。これは、幅木本体の外面側に、複数のスライドロック金具が、夫々ロックボルトの回動操作によって幅木本体に対し上下にスライドするように取り付けられ、各スライドロック金具は、幅木本体よりも下方に突出する下部に幅木本体の下面と対向するロック片を備え、このロック片と幅木本体の下面との間に足場板の側縁部を嵌め込んだ状態で、スライドロック金具が上方へスライドするようにロックボルトを締め付けることによって、幅木本体が垂直姿勢に固定されるようになっている。
【先行技術文献】
【特許文献】
【０００４】
【特許文献１】特開２００２−２２７４０２公報
【発明の概要】
【発明が解決しようとする課題】
【０００５】
上記のような従来の足場板用幅木では、足場板への幅木本体の取付け及び取外し操作が面倒で手間がかかるという問題があった。
【０００６】
本発明は、上記の事情に鑑み、足場板への幅木本体の取付け及び取外しが簡単容易に行える足場板用幅木を提供することを目的とする。
【課題を解決するための手段】
【０００７】
上記課題を解決するための手段を、後述する実施形態の参照符号を付して説明すると、請求項１に係る発明は、対向する足場用建枠２，２の横材３、３間に掛け渡された足場板１の側縁部上に起立姿勢で取り付けられる幅木であって、幅木本体５の両端部には、前記両横材３の互いの対向面側に係止される１対の係止凹部１０ａ，１０ａ、１１ａ，１１ａを夫々有する端部枠８，９が配設され、一端側の端部枠８は、上端部が幅木本体５に枢着されて、その係止凹部１０ａ，１０ａが他端側の端部枠９の係止凹部１１ａ，１１ａとの距離を短縮する後退方向に傾動可能な可動端部枠で、常時はバネ１３を介して幅木本体長手方向と直交する垂直姿勢に保持され、他端側の端部枠９は、幅木本体５の端部に固定された固定端部枠であり、可動端部枠８と幅木本体５の間には可動端部枠８を垂直姿勢にロックするロック手段７が介設され、このロック手段７は、可動端部枠８の下端部にその傾動方向に沿って設けた長孔１７及びこれの前端部に連通形成した径大の丸孔２２と、幅木本体５に軸方向移動可能に貫通支持されていて、長孔１７にスライド可能に嵌合する第１軸部１８ａ、丸孔２２に嵌合する第２軸部１８ｂ及び操作用把手２３を有する軸部材１８とからなり、軸部材１８の第２軸部１８ｂを丸孔２２に嵌合させることにより可動端部枠８を垂直姿勢にロックし、第１軸部１８ａを長孔１７に嵌合させることによってロック解除するようにしてなることを特徴とする。
【０００８】
請求項２は、請求項１に記載の足場板用幅木において、ロック手段７の軸部材１８を常時は第２軸部１８ｂが丸孔２２に嵌合するように付勢するバネ２４が軸部材１８と幅木本体５との間に介装されていることを特徴とする。
【０００９】
請求項３は、請求項１又は２に記載の足場板用幅木において、各端部枠８，９の一対の係止凹部１０ａ，１０ａ、１１ａ，１１ａは、足場用建枠２の横材３に係止された足場板１のフックＦを挟んでその両側に係止されるようになっていることを特徴としている。
【００１０】
請求項４は、請求項１〜３の何れかに記載の足場板用幅木において、可動端部枠８には、傾動操作するために指を挿入する指挿入穴１９が設けられていることを特徴とする。
【００１１】
請求項５は、請求項１〜４のいずれかに記載の足場板用幅木において、各端部枠８，９は両側板ａ，ａとこれらをつなぐ連結板ｂとで形成されるコ字枠からなるもので、その連結板ｂが幅木本体５の端面に対向するように取り付けられ、両側板ａ，ａの夫々下端部に夫々係止凹部１０ａ，１０ａ、１１ａ，１１ａを有する１対の係止片１０，１０、１１，１１が形成されていることを特徴とする。
【００１２】
請求項６は、請求項１〜５のいずれかに記載の足場板用幅木において、各端部枠８，９は内外両側板ａ，ａと両側板ａ，ａをつなぐ連結板ｂとで形成されるコ字枠からなるもので、各端部枠８，９を形成する内外側板ａ，ａの何れか一方の側板ａに位置決め孔２０が複数設けられ、他方の側板ａには、幅木４を横向きにして可動端部枠８どうし及び固定端部枠９どうしが重なるように複数段に積み重ねた時に前記一方の側板ａの位置決め孔２０に嵌合する位置決め突起２１が複数設けられていることを特徴とする。
【発明の効果】
【００１３】
上記解決手段による発明の効果を、後述する実施形態の参照符号を付して説明すると、請求項１に係る発明によれば、足場板用幅木４を足場板１に取り付けるのに、固定端部枠９の係止凹部１１ａを一方の足場用建枠２の横材３に係止した後、反対側の可動端部枠８をバネ１３に抗し後退方向に傾動させて可動端部枠８側の係止凹部１０ａと固定端部枠９側の係止凹部１１ａとの距離を短縮した状態で、可動端部枠８の係止凹部１０ａを他方の足場用建枠２の横材３に係止することにより、簡単容易に取り付けることできると共に、各端部枠８，９の一対の係止凹部１０ａ，１０ａ、１１ａ，１１ａが横材３に係止するから、幅木本体５を安定よく足場板１の側縁部上に固定させることができる。
【００１４】
また上記のように固定端部枠９の係止凹部１１ａを横材３に係止させた後、可動端部枠８側の係止凹部１０ａを横材３に係止させる時に、バネ１３の付勢力によって固定端部枠９側の係止凹部１１ａも横材３に弾接係止することになるから、可動端部枠８側の係止凹部１０ａと固定端部枠９側の係止凹部１１ａとが互いに反対方向に突っ張りあって、幅木本体５を足場板１の側縁部上に起立姿勢により安定よく固定させることができる。幅木４を足場板１から取り外す時には、取付時とは逆の順序で、可動端部枠８を後退方向に傾動させて、係止凹部１０ａを横材３から外した後、固定端部枠９を横材３から外すようにすれば、簡単容易に取り外すことができる。
【００１５】
更に請求項１に係る発明によれば、可動端部枠８を垂直姿勢にロックするロック手段７を可動端部枠８側と幅木本体５の間に介設しているため、可動端部枠８側に上向きの大きな力が作用しても、可動端部枠８がバネ１３の付勢力に抗し後退方向に傾動して係止凹部１０ａが横材３から離脱するような危険性がない。
【００１６】
また、このロック手段７は、可動端部枠８の下端部に設けた長孔１７及びこれの前端部に連通形成した径大の丸孔２２と、幅木本体５に軸方向移動可能に貫通支持されていて、長孔１７にスライド可能に嵌合する第１軸部１８ａ、丸孔２２に嵌合する第２軸部１８ｂ及び操作用把手２３を有する軸部材１８とからなり、軸部材１８の第２軸部１８ｂを丸孔２２に嵌合させることにより可動端部枠８を垂直姿勢にロックし、第１軸部１８ａを長孔１７に嵌合させることによりロック解除するようにしたもので、部品点数が少なく、構造が簡単であるから、製作コストを安くできる。
【００１７】
請求項２に係る発明によれば、ロック手段７の軸部材１８を常時は第２軸部１８ｂが丸孔２２に嵌合するように付勢するバネ２４が軸部材１８と幅木本体５との間に介装されているため、ロック及び解除操作が簡単となる。
【００１８】
請求項３に係る発明によれば、各端部枠８，９の一対の係止凹部１０ａ，１０ａ、１１ａ，１１ａは、足場用建枠２の横材３に係止された足場板１のフックＦを挟んでその両側に係止させる構成であるから、製作にあたって端部枠８，９の下端部の構造が簡単になると共に、各一対の係止凹部１０ａ，１０ａ、１１ａ，１１ａを横材３に対し安定よく係止させることができ、また幅木４を隣り合わせに連続して取り付ける際に、足場板１のフックＦと係止凹部１０ａ，１０ａ、１１ａ，１１ａとが干渉するようなことがなく、それらを的確に係止させることができる。
【００１９】
請求項４に係る発明によれば、可動端部枠８に指挿入穴１９が設けてあるから、手で可動端部枠８を傾動させる時に指を挿入することによって、傾動操作を容易に行うことができる。
【００２０】
請求項５に係る発明によれば、各端部枠８，９が、両側板ａ，ａと連結板ｂで形成されるコ字枠からなるもので、その連結板ｂを幅木本体５の端面に対向するように取り付け、両側板ａ，ａの夫々下端部に夫々係止凹部１０ａ，１０ａ、１１ａ，１１ａを有する１対の係止片１０，１０、１１，１１を形成する構成であるため、端部枠８，９の製作が容易で、端部枠８，９への取付けが簡単容易となる。
【００２１】
請求項６に係る発明によれば、コ字枠からなる各端部枠８，９を形成する内外側板ａ，ａの何れか一方ａに複数の位置決め孔２０を設け、他方の側板ａには、幅木４を横向きにして可動端部枠８どうし及び固定端部枠９どうしが重なるように複数段に積み重ねた時に前記一方の側板ａの位置決め孔２０に嵌合する位置決め突起２１を複数設けているから、幅木４をトラックなどで運搬したり、工場などに保管するような時に各幅木４を横向きにして複数段積み重ねる場合に、上下に隣り合う下段側端部枠８，９の位置決め突起２１を上段側端部枠８，９の位置決め孔２０に嵌合させることにより、幅木４を整列状態に積み重ねできると共に、荷崩れを防止することができる。
【図面の簡単な説明】
【００２２】
【図１】(a) は本発明に係る足場板用幅木を幅木本体の外面側から見た正面図、(b) は平面図である。
【図２】(a) は図１の(a) に示す足場板用幅木の拡大正面図、(b) は同幅木の一部断面底面図、(c) は右側面図である。
【図３】(a) は足場板に取り付けた幅木の可動端部枠部分を幅木本体の内側から見た斜視図であり、(b) は同足場板用幅木の固定端部枠部分を幅木本体の内側から見た斜視図である。
【図４】(a) はロック手段を備えた可動端部枠部分を幅木本体の内側から見た拡大正面図であり、(b) は(a) のＸ−Ｘ線断面図、(c) は(a) のＹ−Ｙ線断面図である。
【図５】(a) はロック状態の可動端部枠を幅木本体の内側から見た拡大正面図、(b) は(a) のＶ−Ｖ線拡大断面図、(c) は(b) のＷ−Ｗ線断面図である。
【図６】(a) はロックが解除された状態の可動端部枠を幅木本体の内側から見た拡大正面図、(b) は(a) のＱ−Ｑ線拡大断面図、(c) は(b) のＲ−Ｒ線断面図である。
【図７】(a) 〜(c) はロック手段を備えた幅木の可動端部枠が足場用建枠の横材に係止される状態を段階的に示す説明図である。
【図８】幅木を横向きにして可動端部枠どうし及び固定端部枠どうしが上下に重なるように複数段に積み重ねた状態の可動端部枠側部分を示す正面図である。
【発明を実施するための形態】
【００２３】
以下に本発明の実施形態を図面に基づいて説明すると、足場板１は、図３の(a) ，(b) に示すように、対向する足場用建枠２，２の横材３，３間に掛け渡され、この足場板１の側縁部上に本発明に係る足場板用幅木４が起立姿勢に取り付けられている。足場板１の両端部には夫々フックＦがその左右端側に突設されている。尚、足場板１のフックＦは、フック本体ｆａと落下錠ｆｂとからなる（図１の(a) 参照）。
【００２４】
足場板用幅木４は、図１及び図２に示すように、内側壁５ａと、上壁部５ｂと、下壁部５ｃと、上下壁部５ｂ，５ｃから夫々内向きに突出するフランジ５ｄとにより断面略Ｃ字状に形成された幅木本体５を有し、この幅木本体５の両端部に端部枠８，９が取り付けられている。幅木本体５には端部枠９が取り付けられる側の端面に断面コ字状の端面キャップ６が装着されている。
【００２５】
図２及び図３から分かるように、各端部枠８，９は、内外両側板ａ，ａと両側板ａ，ａをつなぐ連結板ｂとにより形成されるコ字枠からなるもので、その連結板ｂが幅木本体５の端面側に対向するように取り付けられ、そして両側板ａ，ａの夫々下端部には、足場用建枠２の横材３に係止された足場板のフックＦを挟んでその両側に係止される夫々略半円形状係止凹部１０ａ，１０ａ、１１ａ，１１ａを形成した係止片１０，１０、１１，１１が設けられている。
【００２６】
一端側の端部枠８は、図２の(a) ，(b) の夫々左端及び図３の(a) に示されるように、その上端部側が幅木本体５に対し枢軸１２により枢着されて、下端部側の係止凹部１０ａ，１０ａが他端側の端部枠９の係止凹部１１ａ，１１ａとの距離を短縮する後退方向に傾動可能な可動端部枠で、常時は板バネ１３を介して幅木本体５の長手方向と直交する垂直姿勢に保持されている。そして、この可動端部枠８と幅木本体５との間には、可動端部枠８を垂直姿勢にロックするためのロック手段７が介設されている。
【００２７】
他端側の端部枠９は、図２の(a) ，(b) の夫々右端及び図３の(b) に示されるように、幅木本体５の端部に固定された固定端部枠である。この固定端部枠９は、幅木本体５の端部に幅木本体５の長手方向と直交する垂直姿勢に固定されているだけで、端部枠９自体の構造は可動端部枠８と全く同じであり、従って、図面には同一符号を付して説明を省略する。また固定端部枠９は、幅木本体５の端面に装着された断面コ字状の端面キャップ６に背中合わせ状態にリベット３１で固定されている。
【００２８】
上記可動端部枠８の構造について更に説明すれば、図２及び図４に示すように、コ字枠からなる端部枠８に、これよりも幅の狭いのコ字枠からなる取付枠１４を背中合わせ状態にリベット３１で固定し、このコ字枠状取付枠１４を、幅木本体５の対向端部に対しコ字枠深さ方向の半分程度嵌合した状態で、取付枠１４の上端部を枢軸１２により幅木本体５の上端部に枢着している。そして、コ字枠状取付枠１４内には板バネ１３を挿入し、この板バネ１３の上端部１３ａを前記枢軸１２の上側を通って幅木本体５の上壁部５ｂ内面部に係止させた状態で、その下端部を取付枠１４の連結板ｂの内面下端部に弾接させている。
【００２９】
コ字枠状取付枠１４の下端部には、図２〜図４から分かるように、内外側壁部１４ａ，１４ｂを貫通する夫々一定長さの長孔１７を、前記枢軸１２を曲率中心とする曲線に沿うように設け、この長孔１７には幅木本体５に貫通支持される軸部材１８を挿通して、可動端部枠８の傾動範囲を規制すると共に、前記板バネ１３の付勢力によって端部枠８を常時は幅木本体５の長手方向と直交する垂直姿勢に保持できるようにし、それにより可動端部枠８を前記垂直姿勢から後退方向に一定角度範囲傾動できるが、前進方向には傾動できないようにしている。
【００３０】
また図１の(b) 及び図２の(b) に示すように、幅木本体５の一端側の可動端部枠８と他端側の固定端部枠９とは、幅木本体５の端部に対し互いに前後にずらして取り付けられている。これは、幅木４を足場板１の桁方向に隣り合わせに連続して取り付ける際に、横材３の同じ個所に係止する可動端部枠８の係止片１０と固定端部枠９の係止片１１とが干渉することを避けるためである。
【００３１】
また図２の(a) 、図３の(a) ，(b) 及び図４の(a) に示すように、可動端部枠８を形成する内外一対の側板ａ，ａの夫々下部側には、傾動操作する際に例えば人差指と中指の２本の指を挿入する指挿入穴１９，１９が上下に設けられている。また図３の(a) ，(b) から分かるように、可動端部枠８の内外側板ａ，ａの一方側、例えば内側の側板ａには上部側に上下２つの位置決め孔２０，２０が設けられ、他方側である外側の側板ａには上部側に前記２つの位置決め孔２０，２０に嵌合する上下２つの位置決め突起２１，２１が設けられ、固定端部枠９の内外側板ａ，ａの上部側には、可動端部枠８とは内外逆の位置に夫々上下２つの位置決め孔２０，２０と上下２つの位置決め突起２１，２１が設けられている。
【００３２】
尚、この実施形態では、図２及び図３に示すように、固定端部枠９にも指挿入穴１９が可動コ端部枠８と左右対称位置に設けられているが、そうすることにより、可動端部枠８と固定端部枠９とが全く同じ形状となって、一種類の端部枠を製作すればよいから、コストを安くできる。
【００３３】
次に、上記のような構成の可動端部枠８を幅木本体５の長手方向と直交する垂直姿勢にロックするロック手段７について説明すると、このロック手段７は、図４及び図５に示すように、可動端部枠８に取り付けられたコ字枠状取付枠１４の内側壁１４ａの下端部に、この端部枠８の傾動方向に沿って（枢軸１２を曲率中心とする曲線に沿うように）設けられた長孔１７及びこの長孔１７の前端部に連通形成された径大の丸孔２２（図５及び図６参照）と、幅木本体５に軸方向移動可能に貫通支持されていて、長孔１７にスライド可能に嵌合する径小の第１軸部１８ａ、丸孔２２に嵌合する径大の第２軸部１８ｂ及び操作用把手２３を有する軸部材１８と、この軸部材１８を常時は図５の(b) に示すように第２軸部１８ｂが丸孔２２に嵌合するように付勢するコイルバネ２４とによって構成される。
【００３４】
上記コイルバネ２４は、図５の(b) 及び図６の(b) に示すように、幅木本体５のフランジ５ｄと第２軸部１８ｂの後端面との間で軸部材１８の径小軸部１８ｃに嵌装され、この軸部材１８の先端部はネジ軸部１８ｄを形成し、このネジ軸部１８ｄに螺着されたナット２５により、軸部材１８は、コイルバネ２４を介して、第２軸部１８ｂが長孔１７の前端部にある丸孔２２に嵌合する位置、即ちロック位置に保持されている。
【００３５】
図５の(a) 〜(c) は、ロック手段７がロック位置にあって、可動端部枠８が幅木本体５の長手方向と直交する垂直姿勢にロックされた状態を示す。即ち、このロック位置では、軸部材１８は、長孔１７の孔径より径大の第２軸部１８ｂが長孔１７の前端部にある丸孔２２に嵌合した位置にコイルバネ２４により保持されているから、図５の(c) から分かるように、この状態で可動端部枠８の下端部に可動端部枠８を後退方向に傾動するような力がかかっても、可動端部枠８は傾動を阻止されて垂直姿勢を維持することができ、従って図５の(a) に示すように可動端部枠８の係止凹部１０ａが足場用建枠２の横材３に係止した状態で、この可動端部枠８側に上向きの大きな力が作用しても、可動端部枠８が板バネ１３の付勢力に抗して後退方向に傾動することがないから、横材３から抜けるおそれがなく、安全が確保される。
【００３６】
図６の(a) 〜(c) は、ロック手段７がロック解除位置にある状態を示す。即ち、ロック手段７によるロックを解除するには、軸部材１８の操作用把手２３を掴んで軸部材１８を図５の(a) に示す状態からコイルバネ２４の付勢力に抗して軸方向に押し込むと、径大の第２軸部１８ｂが丸孔２２から離脱して、径小の第１軸部１８ａが長孔１７に嵌合可能な状態となるから、この状態で可動端部枠８の下端部に可動端部枠８を後退方向に傾動するような力を加えると、図６の(c) に示すように、第１軸部１８ａはそのまま長孔１７に突入嵌合して、可動端部枠８は後退方向に傾動することができる。尚、第１軸部１８ａが長孔１７に嵌合している時は、コイルバネ２４の付勢力によって径大の第２軸部１８ｂの端面が取付枠１４の内側壁部１４ａに押し付けられるから、操作用把手２３から手を離しても、軸部材１８がロック位置に戻ることはない。
【００３７】
上記のように構成される足場板用幅木４を足場板１に取り付けるには、幅木本体５を持ち上げた状態から足場板１の側縁部上に下ろし、先に固定端部枠９の一対の係止片１１，１１を一方の横材３と足場板１の先端部との間に挿入して、その係止凹部１１ａ，１１ａを、既に横材３に係止されている足場板１のフックＦを挟むように係止して、図３の(b) に示すような状態とした後、反対側の可動端部枠８を、ロック手段７によるロックを解除した状態で板バネ１３に抗して枢軸１２を中心に後退方向に傾動させて、この可動端部枠８の係止凹部１０ａと固定端部枠９の係止凹部１１ａとの距離を短縮した状態から、この可動端部枠８の一対の係止片１０，１０の係止凹部１０ａ，１０ａを、図３の(a) に示すように、既に横材３に係止されている足場板１のフックＦを挟むように係止することにより、可動端部枠８が板バネ１３の付勢力で垂直姿勢に復帰して、係止凹部１０ａ，１０ａを横材３に弾接係止すると共に、固定端部枠９の係止凹部１１ａ，１１ａも横材３に弾接係止し、それによって幅木本体５を足場板１の側縁部上に起立姿勢に固定することができる。
【００３８】
この幅木本体４の取付け時には、先に固定端部枠９の係止凹部１１ａを横材３に係止させた後、可動端部枠８側の係止凹部１０ａを横材３に係止させると、板バネ１３の付勢力によって固定端部枠９側の係止凹部１１ａも横材３に弾接係止することになるから、可動端部枠８側の係止凹部１０ａと固定端部枠９側の係止凹部１１ａとが互いに反対方向に突っ張りあって、幅木本体５を足場板１の側縁部上に起立姿勢に強固に固定できる。
【００３９】
図７の(a) 〜(c) は、固定端部枠９の係止凹部１１ａを一方の横材３に係止させた後に可動端部枠８の係止凹部１０ａを他方の横材３に係止させる際の作業要領を示すもので、ロック手段７によるロックを解除した状態で、(a) に示すように、横材３の上方より幅木４の可動端部枠８側を下ろして、可動端部枠８の係止片１０の係止凹部１０ａを横材３の周面上にその中心部より若干手前側に当接させ、この状態から幅木４の可動端部枠８側を押し下げると、係止片１０の下端部が横材３の周面から滑り落ちながら、この係止片１０には横材３から後退する方向の力が作用するから、可動端部枠８は、板バネ１３の付勢力に抗して、(b) に示すように枢軸１２を中心に後退方向に傾動し、最終的に係止片１０の係止凹部１０ａが(c) に示すような状態で横材３に弾接係止し、幅木本体５を足場板１の側縁部上に起立姿勢に固定することができる。
【００４０】
要するに、(a) に示す状態から幅木４の可動端部枠８側を押し下げると、幅木４の自重とその押し下げ力によって、可動端部枠８が板バネ１３の付勢力に抗し後退方向に傾動して、係止凹部１０ａが瞬時に横材３に係止して(c) に示す状態となる。この(c) に示す状態では、ロック手段７を構成する軸部材１８の径大の第２軸部１８ｂが長孔１７の前端部にある丸孔２２に嵌合するから、そのまま可動端部枠８は垂直姿勢にロックされる。
【００４１】
この実施形態では、各端部枠８，９の一対の係止凹部１０ａ，１０ａ、１１ａ，１１ａは、横材３に係止されている足場板１のフックＦを挟んでその両側に係止されるようになっているが、足場板１のフックＦを挟むことなく、そのフックＦの片側で横材３に係止するようにしてもよい。但し、実施形態のように足場板１のフックＦを挟んでその両側に係止させる構成にすれば、端部枠８，９の下端部の構造をコンパクトに形成できると共に、一対の係止凹部１０ａ，１０ａ、１１ａ，１１ａを横材３に対し安定よく係止でき、また図４の(b) ，(c) に示すように幅木４を隣り合わせに連続して取り付ける際に、足場板１のフックＦと係止凹部１０ａ，１０ａ、１１ａ，１１ａとが干渉するようなことがなく、それらを的確に係止させることができる。
【００４２】
また、各端部枠８，９は両側板ａ，ａと連結板ｂで形成されるコ字枠からなるもので、その連結板ｂを幅木本体５の端面に対向するように取り付け、両側板ａ，ａの夫々下端部に夫々略半円形状係止凹部１０ａ，１０ａ、１１ａ，１１ａを有する１対の係止片１０，１０、１１，１１を形成している構成であるため、端部枠８，９の製作が容易で、端部枠８，９への取付けが簡単且つ容易となる。
【００４３】
図８は、足場板用幅木４をトラックなどで運搬したり、工場などに保管するような時に各幅木４を横向きにして複数段積み重ねた状態を示している。この場合、図２及び図３に示されるように、各幅木４の可動端部枠８の内外側板ａ，ａの一方側、例えば外側の側板ａには上部側に上下２つの位置決め孔２０，２０が設けられ、他方側である内側の側板ａには上部側に前記２つの位置決め孔２０，２０に嵌合する上下２つの位置決め突起２１，２１が設けられ、またここでは図示を省略するが、固定端部枠９の内外側板ａ，ａの上部側には、可動端部枠８とは内外逆の位置に夫々上下２つの位置決め孔２０，２０と上下２つの位置決め突起２１，２１が設けてあることから、図８に示すように、上下に隣り合う下段側端部枠８，９の位置決め突起２１を上段側端部枠８，９の位置決め孔２０に嵌合させることによって、幅木４を整列状態に積み重ねできると共に、荷崩れを防止することができる。
【符号の説明】
【００４４】
１              足場板
Ｆ              足場板のフック
２              足場用建枠
３              横材
４              足場板用幅木
５              幅木本体
７              ロック手段
８              可動端部枠
９              固定端部枠
１０，１１      係止片
１０ａ，１１ａ  係止凹部
１３            板バネ
１８            軸部材
１８ａ          第１軸部
１８ｂ          第２軸部
１９            指挿入穴
２０            位置決め孔
２１            位置決め突起
２２            丸孔
２３            操作用把手
２４            コイルバネ
【図１】
2011006839.tif 000003
【図２】
2011006839.tif 000004
【図３】
2011006839.tif 000005
【図４】
2011006839.tif 000006
【図５】
2011006839.tif 000007
【図６】
2011006839.tif 000008
【図７】
2011006839.tif 000009
【図８】
2011006839.tif 000010